(57)【要約】      （修正有）【解決手段】水酸化マグネシウムまたは酸化マグネシウムの水懸濁液に、水酸化リチウムまたは水酸化ナトリウムを、水酸化マグネシウム換算の固形分100mass%に対して100〜500mass%添加して湿式粉砕し、180〜230℃で水熱処理し、得られた水酸化マグネシウムを脂肪酸のアルカリ金属塩などの乳化剤と硬化油、脂肪酸エステル、シランカップリング剤、脂肪酸アマイドなどの表面処理剤の両方で処理する。【効果】[101]／[001]ピーク強度比が0.9以上、BET比表面積が1〜4m2/g、平均粒子径が2〜5μmの性状を有する水酸化マグネシウム粒子を特定の乳化剤と特定の表面処理剤で処理することによって高い耐熱性を有する水酸化マグネシウム系難燃剤を提供できる。また、ポリオレフィン系の樹脂に配合することにより、高耐熱性の樹脂組成物および成型体を提供できる。【選択図】なし【特許請求の範囲】
【請求項１】
X線回折における[101]／[001]ピーク強度比が0.9以上、BET比表面積が1〜4m2/g、平均粒子径が2〜5μmの合成水酸化マグネシウム粒子に、脂肪酸のアルカリ金属塩、脂肪酸のアンモニウム塩および脂肪酸のアルコールアミン塩の少なくとも一種類の脂肪酸塩の乳化剤を水に懸濁し、更に、硬化油、脂肪酸エステル、シランカップリング剤、脂肪酸アマイド及び高級アルコール及びそれらの誘導体からなる群から選ばれた少なくとも1種あるいは2種以上を加えて、該混合液を水酸化マグネシウムスラリーに添加し、該表面処理剤の合計量で0.5〜5mass%になるように湿式法で表面処理した水酸化マグネシウム系難燃剤。
【請求項２】
ポリオレフィン系樹脂100質量部に対し、請求項1記載の水酸化マグネシウム系難燃剤を5〜500質量部配合した、難燃性樹脂組成物。
【請求項３】
ポリオレフィン系樹脂100質量部に対し、請求項1記載の水酸化マグネシウム系難燃剤を5〜500質量部配合した、難燃性樹脂組成物の成型体。
【発明の詳細な説明】
【技術分野】
【０００１】
本発明は、特定の性状を有する水酸化マグネシウム粒子を特定の乳化剤と特定の表面処理剤で処理することによって高い耐熱性を有する難燃剤に関する。さらに樹脂に配合した場合、優れた耐熱劣化性および難燃性を発現する成形品に関する。特に耐熱性が要求される自動車用電線、成型部品において好適に適用できる。
【０００２】
本発明は難燃性絶縁電線およびケーブル等に使用される水酸化マグネシウム難燃剤と、その製造方法、及び難燃性樹脂組成物に関するものである。さらに詳しくは、ポリプロピレン樹脂等のポリオレフィン樹脂に該水酸化マグネシウム難燃剤を配合した場合に優れた耐熱劣化性および難燃性を提供するものである。
【背景技術】
【０００３】
これまで合成樹脂の難燃化に対してハロゲン系の難燃剤やリン系の難燃剤が種々検討されてきた。しかし、ハロゲン系の難燃剤やリン系の難燃剤は作業性の問題やダイオキシンなどの環境問題がある。そこで、作業性や環境問題のない金属水酸化物難燃剤が求められている。
【０００４】
金属水酸化物としては、水酸化アルミニウム、水酸化マグネシウム、水酸化カルシウムなどがあるが、水酸化アルミニウムの分解温度が約２００℃、水酸化マグネシウムの分解温度が約３００℃、水酸化カルシウムが約４５０℃である。分解温度との関係で難燃剤として水酸化マグネシウムが良好な難燃剤とされている。
【０００５】
高性能で高機能化の要求に対する電線、ケーブル、自動車用ワイヤーハーネス等の電子機器被覆については高レベルの耐熱性及び難燃性を満足する水酸化マグネシウム難燃剤が要求されるようになってきた。
【０００６】
これまで、水酸化マグネシウム難燃剤の耐熱性を向上させる方法が提案されている。
平均２次粒子径と比表面積と不純物として遷移金属等を規定したものが多数ある。
特許文献１では、平均２次粒子径が２μｍ以下で、ＢＥＴ法による比表面積が２０ｍ2／ｇ以下で、鉄化合物およびマンガン化合物の含有量が合計で、金属に換算して０.０２質量％以下である、水酸化マグネシウム難燃剤。さらに、コバルト化合物、クロム化合物、銅化合物、バナジウム化合物、およびニッケル化合物が耐熱性に悪影響があると記載している。特許文献２では、平均２次粒子径が０．４〜４μｍで、ＢＥＴ法による比表面積が１〜１５ｍ2／ｇ、鉄化合物およびマンガン化合物の合計含有量が金属（Ｆｅ＋Ｍｎ）に換算して、２００ｐｐｍ以下、水溶性のナトリウム塩の含有量が、ナトリウム金属換算で５００ｐｐｍ以下の水酸化マグネシウム難燃剤。さらに、コバルト化合物、クロム化合物、銅化合物、バナジウム化合物、およびニッケル化合物が耐熱性に悪影響があると記載している。特許文献３では、平均２次粒子径が３μｍ以下でＢＥＴ法比表面積が２０ｍ２／ｇ以下でＦｅ化合物およびＭｎ化合物の含有量の合計量が金属に換算して０.０２質量％以下の水酸化マグネシウム難燃剤。さらに、コバルト化合物、クロム化合物、銅化合物、バナジウム化合物、およびニッケル化合物が耐熱性に悪影響があると記載している。特許文献４では、平均２次粒子径が１０μｍ以下でＢＥＴ法比表面積が２０ｍ2／ｇ以下でＦｅ化合物およびＭｎ化合物の含有量の合計量が金属に換算して０.０２質量％以下で水溶性アルカリ金属化合物の含有量の合計がアルカリ金属に換算して０.０５質量％以下を満足する水酸化マグネシウム難燃剤。さらに、コバルト化合物、クロム化合物、銅化合物、バナジウム化合物、およびニッケル化合物が耐熱性に悪影響があると記載している。特許文献５では、平均２次粒子径が２μｍ以下で、ＢＥＴ法による比表面積が１〜１０ｍ2／ｇで、鉄化合物、マンガン化合物、コバルト化合物、クロム化合物、銅化合物、バナジウム化合物およびニッケル化合物の合計含有量が、金属に換算して０.０１質量％以下である、水酸化マグネシウム難燃剤。
【特許文献１】特開平９−２２７７８４５号
【特許文献２】特開平１１−１８１３０５号
【特許文献３】特開平２００１−２１０１５１号
【特許文献４】特開２００１−３１２９２５号
【特許文献５】特開２００４−２８８４号
【０００７】
また、水酸化マグネシウムに遷移金属等を固溶させた複合金属水酸化物が樹脂組成物の難燃性と機械的強度の向上に寄与しており、特許文献６〜９に記載されている。
特許文献６では、カルシウム、マンガン、鉄、コバルト、銅、亜鉛との固溶体で、ＢＥＴ比表面積１〜１０ｍ2／ｇで平均２次粒子径が０．５〜２．０μｍの複合金属水酸化物を樹脂に配合することによって難燃性と機械的強度の改善を記載している。
特許文献７では、マンガン、鉄、コバルト、ニッケル、銅および亜鉛との固溶体である複合金属水酸化物を樹脂に配合することによって難燃性と機械的強度の改善を記載している。特許文献８では、マンガン、鉄、コバルト、ニッケル、銅および亜鉛との固溶体である複合金属水酸化物と炭素微粉末を樹脂に配合することによって難燃性と機械的強度の改善を記載している。
特許文献９では、亜鉛または亜鉛とニッケルの固溶体である複合金属水酸化物を樹脂に配合することによって高い難燃性と優れた機械的強度が得られると記載されている。
【特許文献６】特開平７−１１１４７
【特許文献７】特開平８−７３６６５号
【特許文献８】特開平８−１９９００８号
【特許文献９】特開平９−１００１２１号
【０００８】
以上のように、平均２次粒子径、ＢＥＴ比表面積、遷移金属等の含有量を限定した      水酸化マグネシウムを樹脂に配合することで樹脂組成物の難燃性と耐熱性を確保している。また、マグネシウムに遷移金属等を固溶させた複合金属水酸化物を樹脂に配合することで樹脂組成物の難燃性と機械的強度を確保している方法がある。
【発明の開示】
【発明が解決しようとする課題】
【０００９】
本発明は、ポリプロピレン等のポリオレフィン系樹脂に配合したときに高い耐熱性と難燃性を兼ね備えたノンハロゲンタイプの難燃剤である水酸化マグネシウム系難燃剤を提供することを目的とする。特に耐熱性が要求される自動車用電線、成型部品において対応できる水酸化マグネシウム系難燃剤を提供することを目的とする。
【課題を解決するための手段】
【００１０】
本発明は、X線回折での[101]／[001]ピーク強度比が0.9以上、特に0.9以上で1.1以下で、BET比表面積が1〜4m2／ｇ、かつ平均粒子径が２〜５μｍ以下の水酸化マグネシウム粒子に、脂肪酸のアルカリ金属塩、脂肪酸のアンモニウム塩および脂肪酸のアルコールアミン塩の少なくとも一種の脂肪酸塩と、さらに硬化油、脂肪酸エステル、シランカップリング剤、脂肪酸アマイド及び高級アルコール及びそれらの誘導体で表面処理した水酸化マグネシウム系難燃剤にある。
【００１１】
前記水酸化マグネシウム粒子は、水酸化マグネシウムまたは酸化マグネシウムの水懸濁液に、水酸化リチウムもしくは水酸化ナトリウムを、水酸化マグネシウム換算の固形分100mass%に対して100mass%以上、好ましくは100〜700mass%、特に好ましくは100〜500mass%添加して湿式粉砕し、180〜230℃で水熱処理し、さら0.5〜5mass%の前記処理剤で表面処理されて得られたものである。
【００１２】
水酸化マグネシウムの[101]／[001]ピーク強度比が0.9未満の場合、BET比表面積が4m2/gを超えた場合、平均粒子径が2μm未満の場合は、水酸化マグネシウム粒子に凝集が発生し、均一な表面処理が難しい。均一な表面処理ができないと部分的に処理されていない水酸化マグネシウムが樹脂の熱劣化を促進する。更に無処理の場合は、樹脂の熱劣化は顕著に現われる。水酸化マグネシウム系難燃剤を樹脂に配合した時の熱劣化については、水酸化マグネシウム本来の特性に由来するものと思われる。
【００１３】
また、水酸化マグネシウムのBET比表面積が1m2/g未満の場合や平均粒子径が5μmを超えた場合は、室温状態での樹脂組成物の引張強度が低下する傾向があり、更には満足な難燃性が得られない。
【００１４】
水酸化マグネシウムへの上記表面処理剤の最適な処理量としては、0.5〜5mass%であり、最適量で処理された時に耐熱性が極めて向上する。処理量が0.5mass%未満の場合は、部分的に処理されていない水酸化マグネシウムが存在し、樹脂の熱劣化を促進させる。また、処理量が5mass%を超える場合は、樹脂に配合した時に過剰の処理剤が溶出(ブリードアウト)するために樹脂組成物の特性に悪影響を及ぼす。また、該処理剤は1種類または2種類以上を組み合わせて行うことも可能である。
【００１５】
本発明の表面処理剤としては、(1)脂肪酸のアルカリ金属塩、脂肪酸のアンモニウム塩、脂肪酸のアルコールアミン塩などの脂肪酸塩である乳化剤と、(2)硬化油、脂肪酸エステル、シランカップリング剤、脂肪酸アマイド及び高級アルコール及びそれらの誘導体
からなる処理剤の両方を含む。
処理方法としては、前記からなる乳化剤の一群から選ばれた少なくとも1種あるいは2種以上の乳化剤と前記からなる処理剤の一群から選ばれた少なくとも1種あるいは2種以上の表面処理剤で処理する。
【００１６】
乳化剤として使用する脂肪酸塩は、アルカリ金属塩、アンモニウム塩、モノ〜トリのアルコールアミン塩である。脂肪酸としては、ラウリン酸、ミスチリン酸、パルミチン酸、ステアリン酸、オレイン酸、エルカ酸、ベヘニン酸等である。
【００１７】
硬化油としては、牛脂硬化油、ヒマシ硬化油である。
【００１８】
脂肪酸エステルとしては、ラウリン酸メチル、ミスチリン酸メチル、パルミチン酸メチル、ステアリン酸メチル、オレイン酸メチル、エルカ酸メチル、ベヘニン酸メチル、ラウリン酸ブチル、ステアリン酸ブチル、ミスチリン酸イソプロピル、パルミチン酸イソプロピル、パルミチン酸オクチル、ヤシ脂肪酸オクチルエステル、ステアリン酸オクチル、特殊牛脂脂肪酸オクチルエステル、ラウリン酸ラウリル、長ステアリン酸ステアリル、長鎖脂肪酸高級アルコールエステル、ベヘニン酸べへニル、ミスチリン酸セチル等のモノエステルが挙げられ、また例えば、ネオペンチルポリオール長鎖脂肪酸エステル、ネオペンチルポリオール長鎖脂肪酸エステルの部分エステル化物、ネオペンチルポリオール脂肪酸エステル、ネオペンチルポリオール中鎖脂肪酸エステル、ネオペンチルポリオールC9鎖脂肪酸エステル、ジペンタエリスリトール長鎖脂肪酸エステル、コンプレックス中鎖脂肪酸エステル等の特殊脂肪酸エステルが挙げられる。また例えば、ソルビタンモノラウレート、ソルビタンモノパルミテート、ソルビタンモノステアレート、ソルビタントリステアレート、ソルビタンモノオレエート、ソルビタントリオレエート、ソルビタンセスキオレエート、ソルビタンジステアレート、ポリオキシエチレン(6)ソルビタンモノラウレート、ポリオキシエチレン(20)ソルビタンモノラウレート、ポリオキシエチレン(20)ソルビタンモノパルミテート、ポリオキシエチレン(6)ソルビタンモノステアレート、ポリオキシエチレン(20)ソルビタンモノステアレート、ポリオキシエチレン(20)ソルビタントリステアレート、ポリオキシエチレン(6)ソルビタンモノオレエート、ポリオキシエチレン(20)ソルビタントリオレエート、ポリオキシエチレン(30)ソルビトールテトラオレエート、ポリオキシエチレン(40)ソルビトールテトラオレエート、ポリオキシエチレン(60)ソルビトールテトラオレエート、ポリエチレングリコールモノラウレート、ポリエチレングリコールモノステアレート、ポリエチレングリコールモノオレエート、ポリエチレングリコールモノラウレート、ポリエチレングリコールジステアレート、エチレングリコールジステアレート、プロピレングリコールモノステアレート、ポリオキシエチレンビスフェノールAラウリン酸エステル、ペンタエリスリトールモノオレエート、ペンタエリスリトールモノステアレート、ステアリン酸モノグリセライド、パルミチン酸・ステアリン酸モノグリセライド、オレイン酸モノグリセライド、ステアリン酸モノ・ジグリセライド、ステアリン酸・オレイン酸モノ・ジグリセライド、オレイン酸モノ・ジグリセライド、2-エチルヘキサン酸トリグリセライド、ベヘニン酸モノグリセライド、カプリル酸モノ・ジグリセライド、カプリル酸トリグリセライド、脂肪酸(C8、C10、C12)トリグリセライド、脂肪酸(C8、C10)トリグリセライド等の多価アルコールの脂肪酸エステルおよびその誘導体が挙げられる。
【００１９】
シランカップリング剤としては、ジメチルジメトキシシラン、メチルトリメトキシシラン、ジメチルジエトキシシラン、メチルトリエトキシシラン、ジビニルジメトキシシラン、ビニルトリメトキシシラン、ジビニルジエトキシシラン、ビニルトリエトキシシラン、ビニルトリス(βメトキシエトキシ)シラン、γ-メタクリロキシプロピルメチルジメトキシシラン、γ-メタクリロキシプロピルトリメトキシシラン、γ-メタクリロキシプロピルメチルジエトキシシラン、γ-メタクリロキシプロピルトリエトキシシラン、β-(3、4エポキシシクロヘキシル)エチルトリメトキシシラン、γ-グリシドキシプロピルトリメトキシシラン、γ-グリシドキシプロピルメチルジエトキシシラン、γ-グリシドキシプロピルトリエトキシシラン、N-β(アミノエチル)γ-アミノプロピルメチルジメトキシシラン、N-β(アミノエチル)γ-アミノプロピルトリメトキシシラン、N-β(アミノエチル)γ-アミノプロピルトリエトキシシラン、γ-アミノプロピルトリメトキシシラン、γ-アミノプロピルトリエトキシシラン、N-フェニル-γ-アミノプロピルトリメトキシシラン、γ-クロロプロピルトリメトキシシラン、γ-メルカプトプロピルトリメトキシシラン、等が挙げられる。
【００２０】
脂肪酸アマイドとしては、ステアリン酸アマイド、オレイン酸アマイド、パルミチン酸アマイド、リノール酸アマイド、ラウリン酸アマイド、カプリル酸アマイド、ベヘニン酸アマイド、モンタン酸アマイド等が挙げられる。
【００２１】
高級アルコールとしては、オクチルアルコール、デシルアルコール、ラウリルアルコール、ミスチルアルコール、セチルアルコール、ステアリルアルコール等が挙げられる。
【００２２】
本発明の樹脂組成物および成型体に適した樹脂としては、以下のものがある。ポリプロピレンホモポリマー、エチレンプロピレン共重合体の様なポリプロピレン系樹脂、高密度ポリエチレン、低密度ポリエチレン、直鎖状低密度ポリエチレン、超低密度ポリエチレン、ＥＶＡ（エチレンビニルアセテート樹脂）、ＥＥＡ（エチレンエチルアクリレート樹脂）、ＥＭＡ（エチレンアクリル酸メチル共重合樹脂）、ＥＡＡ（エチレンアクリル酸共重合樹脂）、超高分子量ポリエチレンの様なポリエチレン系樹脂、およびポリブテン、ポリ４−メチルペンテン−１等のＣ２〜Ｃ６のオレフィン（α−エチレン）の重合体もしくは共重合体である。
【発明の効果】
【００２３】
本発明によれば、特定の性状を有する水酸化マグネシウム粒子を特定の乳化剤と特定の表面処理剤で処理することによって高い耐熱性を有する水酸化マグネシウム系難燃剤を提供できる。
また、ポリオレフィン系の樹脂に配合することにより、高耐熱性の樹脂組成物および成型体を提供できる。
【発明を実施するための最良の形態】
【００２４】
以下に本発明を実施するための最適実施例を示す。
【実施例】
【００２５】
実施例１
BET比表面積が30m2/g、平均粒子径が5.3μmの水酸化マグネシウム100gが含まれる懸濁液に、NaOHを400g添加して(水酸化マグネシウム固形分に対して400mass%)、1.5Lの液量に調整した。これに直径3mmのジルコニアボールを1kg投入して、攪拌下に回転数650rpmで15分間湿式粉砕した。その後、懸濁液よりジルコニアボールを取り除いて、2L容量ニッケル製オートクレーブ内に流し込み、攪拌下で200℃、10時間の水熱処理を行った。水熱処理後のスラリーを真空ろ過後、固形分に対し20倍容以上の水で充分洗浄した。その後、再び水に戻して乳化し、攪拌下で80℃まで水酸化マグネシウムスラリーを加温した。一方、ステアリン酸ナトリウム1.5gを80℃に加温した水100mLに懸濁後、牛脂硬化油1.5gを添加して乳化した混合物液を調製した(水酸化マグネシウム換算固形分に対し、表面処理剤合計量で3mass%)。これを、前記80℃に加温した水酸化マグネシウムスラリーに添加し、攪拌下で1時間表面処理を行い、真空ろ過・水洗(固形分に対し5倍以上)、乾燥、粉砕してサンプル粉末を得た。
【００２６】
実施例２
BET比表面積が40m2/g、平均粒子径が3.2μmの酸化マグネシウム69gと、LiOH・H2Oを150g添加して(水酸化マグネシウム固形分に対して150mass%)、水を加えて1.5L液量に調整した。これに直径3mmのジルコニアボールを1kg投入して、攪拌下に回転数650rpmで15分間湿式粉砕した。その後、懸濁液よりジルコニアボールを取り除いて、2L容量ニッケル製オートクレーブ内に流し込み、攪拌下で200℃、10時間の水熱水和反応を行った。水熱水和反応後のスラリーを真空ろ過後、固形分に対し20倍容以上の水で充分洗浄した。その後、再び水に戻して乳化し、攪拌下で80℃まで水酸化マグネシウムスラリーを加温した。一方、ステアリン酸ナトリウム0.4gを80℃に加温した水100mLに懸濁後、ステアリン酸モノグリセライド0.4gを添加して乳化した混合物液を調製した(水酸化マグネシウム換算固形分に対し、表面処理剤合計量で0.8mass%)。これを、前記80℃に加温した水酸化マグネシウムスラリーに添加し、攪拌下で1時間表面処理を行い、真空ろ過・水洗(固形分に対し5倍以上)、乾燥、粉砕してサンプル粉末を得た。
【００２７】
実施例３
表面処理をステアリン酸ナトリウム1mass%とビニルトリメトキシシラン1mass%の混合物とした以外は、実施例2と同様にして、サンプル粉末を得た。
【００２８】
比較例1
NaOHを800g添加(水酸化マグネシウム固形分に対して800mass%)にした以外は、実施例1と同様にして、サンプル粉末を得た。
【００２９】
比較例２
攪拌下にて15.3mass%濃度のMgCl2・6H2O水溶液に、25mass%濃度のNaOH水溶液をMg2+モル数：OH−モル数の比が1：1.8となるように添加して水を加え、1.5Lに調整したサスペンジョンを2L容量のニッケル製オートクレーブ内に流し込み、攪拌下で140℃、10時間の水熱処理を行った。この後は実施例1と同様にして、湿式表面処理してサンプル粉末を得た。
【００３０】
比較例３
表面処理をしなかった以外は、実施例1と同様にして、サンプル粉末を得た。
【００３１】
比較例４
ステアリン酸ナトリウム1g(水酸化マグネシウム換算固形分に対し1mass%)で湿式表面処理した以外は、実施例2と同様にして、サンプル粉末を得た。
【００３２】
サンプル粉末のBET比表面積は、試料粉末を窒素吸着法によって測定し、粒度分布は、試料粉末をエタノールに懸濁させ、超音波で3分間分散処理した後に、レーザー回折法により測定した。また、X線回折における[101]/[001]ピーク強度比は、理学電気株式会社製X線回折装置(CuのKα線、40kV、50mA)を用い、[101]のピーク強度(2θ=38.0°)及び[001]のピーク強度(2θ=18.6°)を測定して求めた。実施例および比較例の結果を表１に示す。
【００３３】
【表１】
2007016153.tif 000002
表１より、実施例１〜３の本発明の手法によりBET比表面積、平均粒子径、[101]/[001]ピーク強度比の規定を全て満足する水酸化マグネシウム系難燃剤が得られている。
【００３４】
樹脂組成物の評価
ポリオレフィン樹脂の一例としてポリプロピレン樹脂(日本ポリプロピレン株式会社ノバテックBC-6D)を用い、試験体試料を調製して評価を行った。各試験体試料はポリプロピレン樹脂100質量部に対して実施例１〜３および比較例１〜４で調製した水酸化マグネシウムサンプル粉末122質量部をラボプラストミルにより180℃で5分間混練した後、シュレッダーでカットしてコンパウンドを作成した。このコンパウンドを射出成型機(日本製鋼所株式会社製J-50E2)にて、温度230℃で水平燃焼用試験体(厚み1/8インチ、幅1/2インチ、長さ3インチ)及び引張用試験体(1号形ダンベル)を作成した。
【００３５】
水平燃焼の測定は、UL1581に準じて行った。
【００３６】
引張強度の測定は、JIS K7113に準じ、試験速度200mm/minで行った。
【００３７】
耐熱試験は試験体を１５０℃に保持したギヤオーブン中で96時間放置させた時の、放置前と放置後の引張強度の残率にて行った。また、96時間放置後の試験体重量損失率も測定した。引張強度の残率と重量損失率以下の示す式により算出した。
引張強度の残率(%)＝(放置前の引張強度−放置後引張強度)/(放置前の引張強度)×100
重量損失率(%)＝(放置前の試験体重量−放置後の試験体重量)/(放置前の試験体重量)×100
結果を表２に示す。
【００３８】
【表２】
2007016153.tif 000003
表２より、本発明で規定した項目である(1)BET比表面積、(2)平均粒子径、(3)[101]/[001]ピーク強度比を全て満足する水酸化マグネシウム系難燃剤は樹脂に配合した場合、難燃性や、室温での引張強度は良好で、さらに150℃で96時間放置した後の引張強度の残率も１００％で変わりなく高い耐熱性を示している。また、重量損失がない事からも安定なことがわかる。
一方、本発明の範囲外である水酸化マグネシウム系難燃剤を樹脂に配合した比較例については所望の特性は得られていない。
比較例１は耐熱性については良好であるものの、難燃性や、室温での引張強度の低下が著しい。おそらく、平均粒子径が大きい事が要因と思われる。また、比較例２は室温での引張強度は良好であるが耐熱性の劣化が著しい。おそらく、BET比表面積が大きい事が要因と思われる。さらに比較例３については(1)BET比表面積、(2)平均粒子径、(3)[101]/[001]ピーク強度比の項目は本発明の範囲内であるが、表面処理をしていないために著しい耐熱性の劣化を示した。比較例４については、処理剤としてステアリン酸だけで行ったために耐熱性は低下している。
【００３９】
実施例ではポリオレフィン樹脂の代表例としてポリプロピレン樹脂での評価結果を示したが、他の樹脂であるポリエチレン、ＥＶＡ（エチレンビニルアセテート樹脂）、ＥＥＡ（エチレンエチルアクリレート樹脂）、ＥＭＡ（エチレンアクリル酸メチル共重合樹脂）、ＥＡＡ（エチレンアクリル酸共重合樹脂）でも同様な耐熱性を示した。